(57)【要約】【課題】  熱アシスト記録方式での磁気記録などを実行するための一組の磁気ヘッドおよび光学ヘッドを、磁気ディスクを介して対向するように効率よく位置合わせするための方法を提供すること。【解決手段】  本発明の方法は、磁気ディスクを回転させた状態での軌跡形成・走査・試験記録・再生などの工程を含む。軌跡形成工程Ｓ１：磁気ヘッドによる磁界印加によって記録層にトラック一周の磁気軌跡を形成する。走査工程Ｓ２：磁気ヘッドにより磁気信号を測定しつつ、磁気ヘッドとは反対の側から光学ヘッドにより磁気ディスクにレーザ光照射して記録層を昇温しながら当該光学ヘッドを所定方向に走査する。試験記録工程Ｓ３：磁気ヘッドにより記録層に磁界を印加しつつ、前工程で磁気信号が減衰したときの光学ヘッドの位置にて、光学ヘッドにより磁気ディスクにレーザ光照射して記録層を昇温する。再生工程Ｓ４：磁気ヘッドにより磁気信号を測定する。【選択図】  図４
2006053976.tif 000002
【特許請求の範囲】
【請求項１】
磁界の印加および磁気信号の測定を実行するための磁気ヘッドと、レーザ光を出射するための光学ヘッドとを、記録層を有する磁気ディスクを介して対向するように位置合わせするための方法であって、
前記磁気ディスクを回転させ、アライメント位置に位置する前記磁気ヘッドにより前記記録層に対して局所的に磁界を印加し続けることにより、前記記録層にトラック一周の磁気軌跡を形成するための軌跡形成工程と、
前記磁気ディスクを回転させ、前記アライメント位置にて前記磁気ヘッドにより磁気信号を測定しつつ、前記磁気ヘッドとは反対の側から前記磁気ディスクに対して前記光学ヘッドによりレーザ光を照射することによって前記記録層を局所的に昇温し続けながら当該光学ヘッドを前記磁気ディスクに沿って第１方向に走査するための走査工程と、
前記磁気ディスクを回転させ、前記アライメント位置にて前記磁気ヘッドにより前記記録層に対して局所的に磁界を印加し続けつつ、前記走査工程において前記磁気ヘッドにより測定される磁気信号が減衰したときの前記光学ヘッドの位置にて、前記光学ヘッドにより前記磁気ディスクに対してレーザ光を照射することによって前記記録層を局所的に昇温し続けるための走査後試験記録工程と、
前記磁気ディスクを回転させ、前記アライメント位置にて前記磁気ヘッドにより磁気信号を測定するための、再生工程と、を含む、磁気ヘッドと光学ヘッドとの位置合わせ方法。
【請求項２】
前記走査後試験記録工程においては、前記磁気ヘッドによる磁界印加と前記光学ヘッドによるレーザ照射とを同時に開始し且つ同時に終了する、請求項１に記載の磁気ヘッドと光学ヘッドとの位置合わせ方法。
【請求項３】
前記再生工程において測定される磁気信号に応じて、前記第１方向と交差する第２方向に前記磁気ディスクに沿って前記光学ヘッドを変位させるための変位工程と、
前記磁気ディスクを回転させ、前記アライメント位置にて前記磁気ヘッドにより前記記録層に対して局所的に磁界を印加し続けつつ、前記変位工程における変位後の位置にて前記光学ヘッドにより前記磁気ディスクに対してレーザ光を照射することによって前記記録層を局所的に昇温し続けるための変位後試験記録工程と、を更に含む、請求項１または２に記載の磁気ヘッドと光学ヘッドとの位置合わせ方法。
【請求項４】
前記変位後試験記録工程においては、前記磁気ヘッドによる磁界印加と前記光学ヘッドによるレーザ照射とを同時に開始し且つ同時に終了する、請求項３に記載の磁気ヘッドと光学ヘッドとの位置合わせ方法。
【発明の詳細な説明】
【技術分野】
【０００１】
本発明は、熱アシスト記録方式での磁気記録などを実行するための別体型の磁気ヘッドと光学ヘッドとを位置合わせする方法に関する。
【背景技術】
【０００２】
ハードディスクなどの記憶装置を構成するための記録媒体として、磁気記録媒体（磁気ディスク）が知られており、コンピュータシステムにおける情報処理量の増大に伴い、磁気ディスクについては記録容量増大の要求が高まっている。
【０００３】
磁気ディスクへの情報記録に際しては、記録層に磁気ヘッドを近接させ、当該磁気ヘッドにより、記録層に対し、その保磁力より強い記録磁界を印加する。磁気ディスクに対して磁気ヘッドを相対移動させつつ磁気ヘッドからの磁界の向きを変化させることにより、記録層において、所定方向に磁化されて交互に反転する複数の磁区が磁気ディスクの周方向ないしトラック方向に連なって形成される。このようにして、記録層において、磁化方向の変化として所定の信号ないし情報が記録される。
【０００４】
磁気記録媒体の技術分野においては、記録層の保磁力が高いほど、記録層に形成される磁区の熱安定性が高く、微小ないし幅狭で安定した磁区を形成しやすいことが、知られている。記録層にて安定に形成され得る最小の磁区が微小であるほど、磁気ディスクにおいて、より大きな記録密度を得ることが可能であり、従って、より大きな記録容量を実現することが可能である。
【０００５】
磁気ディスクへの情報記録においては、上述のように、記録層の保磁力より強い磁界を印加しなければ適切に信号磁区を形成することができない。そのため、記録層について設定される保磁力の増大に伴い、磁気ヘッドにより印加すべき磁界の強度を増大することが考えられる。しかしながら、磁気ヘッドにより印加できる磁界の強度については、例えば磁気ヘッドの構造や消費電力の観点から、実用上は制約を受ける。
【０００６】
そこで、磁気ディスクへの情報記録においては、いわゆる熱アシスト記録方式が採用される場合がある。熱アシスト記録方式で磁気ディスクに情報記録が実行される場合、まず、光学ヘッドからのレーザ光照射により、記録層の所定の箇所が局所的に昇温される。記録層における昇温箇所では、その周囲の非昇温箇所よりも保磁力が低下する。次に、昇温箇所の保磁力より強い記録磁界を磁気ヘッドにより昇温箇所に印加することによって、当該昇温箇所が所定方向に磁化される。この磁化は、当該磁化箇所の冷却の過程で定着することとなる。熱アシスト記録方式によると、加熱により保磁力が低下された箇所に対する磁界印加により情報記録が実行されるため、情報保持時や情報再生時の常温での記録層の保磁力を高く設定する場合であっても、磁気ヘッドにより印加すべき磁界の強度を過度に増大する必要はない。このような熱アシスト記録方式の磁気記録技術については、例えば下記の特許文献１や特許文献２に記載されている。
【０００７】
【特許文献１】特開２０００−２０７７２３号公報
【特許文献２】特開２００１−１８９００２号公報
【０００８】
このような熱アシスト記録方式での磁気記録においては、磁界印加手段として機能する磁気ヘッドと、レーザ光照射手段として機能する光学ヘッドとが必要であるところ、磁気ヘッドおよび光学ヘッドが単一のヘッド内に一体化される場合と、磁気ヘッドおよび光学ヘッドが別体である場合とがある。一体型ヘッドの場合、その磁気ヘッド部および光学ヘッド部は、熱アシスト記録方式での磁気記録を適切に実行するための相対的位置関係で、予め配置されており、また、磁界印加およびレーザ光照射は磁気ディスクに対して同じ側から実行される。これに対し、別体型の場合、磁気ヘッドおよび光学ヘッドは、磁気ディスクを介して相互に反対の側に配置されるので、熱アシスト記録方式での磁気記録を適切に実行するためには、当該磁気ヘッドおよび光学ヘッドを、磁気ディスクを介して対向するように位置合わせする必要がある。別体型の磁気ヘッドおよび光学ヘッドを位置合わせすることを目的とする技術は、例えば下記の特許文献３に記載されている。
【０００９】
【特許文献３】特開２０００−２４２９８８号公報
【００１０】
特許文献３に記載の一位置合わせ手法によると、まず、位置合わせ対象である磁気ヘッドおよび光学ヘッドが、磁気ディスクに対して互いに反対の側にて適当に配置される。次に、磁気ディスクに対して磁気ヘッドにより磁界を印加しつつ光学ヘッドからレーザ光を照射することによって、本来的には位置合わせ後に実行される熱アシスト記録方式での磁気記録が試験的に実行される（試験記録工程）。次に、磁気ディスクについて磁気ヘッドにより磁気信号が測定される（確認再生工程）。確認再生工程で所定の磁気信号が測定されない場合には、磁気ヘッドを移動させ（移動工程）、移動後の新たな位置にて再び試験記録工程が実行される。確認再生工程にて所定の磁気信号が測定される場合に、試験記録工程において熱アシスト記録方式での磁気記録が適切に実行されたと判断され、両ヘッドが位置合わせされたと判断される。確認再生工程にて位置合わせの達成が判断されるまで、移動工程およびその後の試験記録工程が繰り返される。
【００１１】
しかしながら、引用文献３に記載されている上述の位置合わせ手法では、移動工程での磁気ヘッドの移動方向および移動距離は実質的にランダムであるので、確認再生工程にて位置合わせの達成が判断されるまで繰り返される移動工程および試験記録工程の数は膨大となる傾向にある。このような非効率的な位置合わせ手法によると、多くの場合、位置合わせ達成までに長時間を要してしまう。
【発明の開示】
【発明が解決しようとする課題】
【００１２】
本発明は、このような事情の下で考え出されたものであり、熱アシスト記録方式での磁気記録などを実行するための一組の磁気ヘッドおよび光学ヘッドを、磁気ディスクを介して対向するように効率よく位置合わせするための方法を提供することを、目的とする。
【課題を解決するための手段】
【００１３】
本発明によると、磁界の印加および磁気信号の測定を実行するための磁気ヘッドと、レーザ光を出射するための光学ヘッドとを、記録層（記録面を構成する）を有する磁気ディスクを介して対向するように位置合わせするための方法が提供される。本位置合わせ方法は、軌跡形成工程、走査工程、走査後試験記録工程、および再生工程を含み、好ましくは変位工程および変位後試験記録工程を更に含む。軌跡形成工程では、磁気ディスクを回転させ、アライメント位置に位置する磁気ヘッドにより記録層に対して局所的に磁界を印加し続けることにより、記録層にトラック一周の磁気軌跡を形成する。走査工程では、磁気ディスクを回転させ、アライメント位置にて磁気ヘッドにより磁気信号を測定しつつ、磁気ヘッドとは反対の側から磁気ディスクに対して光学ヘッドによりレーザ光を照射することによって記録層を局所的に昇温し続けながら当該光学ヘッドを磁気ディスクに沿って第１方向に走査する。走査後試験記録工程では、磁気ディスクを回転させ、アライメント位置にて磁気ヘッドにより記録層に対して局所的に磁界を印加し続けつつ、走査工程において磁気ヘッドにより測定される磁気信号が減衰したときの光学ヘッドの位置にて、光学ヘッドにより磁気ディスクに対してレーザ光を照射することによって記録層を局所的に昇温し続ける。再生工程では、磁気ディスクを回転させ、アライメント位置にて磁気ヘッドにより磁気信号を測定する。変位工程では、再生工程において測定される磁気信号に応じて、第１方向と交差する第２方向に磁気ディスクに沿って光学ヘッドを変位させる。変位後試験記録工程では、磁気ディスクを回転させ、アライメント位置にて磁気ヘッドにより記録層に対して局所的に磁界を印加し続けつつ、変位工程における変位後の位置にて光学ヘッドにより磁気ディスクに対してレーザ光を照射することによって記録層を局所的に昇温し続ける。
【００１４】
このような構成の位置合わせ方法には、軌跡形成工程および走査工程を経て行われる第１方向の位置合わせ過程と、走査後試験記録工程、再生工程、並びに、好ましくは含まれる変位工程および変位後試験記録工程を経て行われる第２方向（第１方向に対して交差する方向）の位置合わせ過程とが、含まれる。第１方向の位置合わせ過程は、線的な磁気軌跡に対して光学ヘッド位置（光学ヘッドからのレーザ光に由来して磁気ディスクにて生ずる照射スポットの位置）を合わせることにより、磁気ヘッド位置（磁界印加位置，磁気信号測定位置）と光学ヘッド位置とを効率よく近付けるためのものである。第２方向の位置合わせ過程は、第１方向位置合わせ過程の後に更に磁気ヘッド位置と光学ヘッド位置とを近付けるためのものであり、第２方向において光学ヘッドが磁気ヘッド位置に対して正負いずれの側に位置するのかを検知可能な手法で実行される。このような、役割の異なる２種類の位置合わせ過程を含む本発明の位置合わせ方法によると、磁気ヘッドと光学ヘッドとを磁気ディスクを介して対向するように効率よく位置合わせすることができるのである。
【発明を実施するための最良の形態】
【００１５】
図１は、本発明に係る位置合わせ方法を実施するための磁気ディスク装置Ａの概略構成を表す。磁気ディスク装置Ａは、磁気ディスク１０と、磁気ヘッド２０と、光学ヘッド３０と、スピンドルモータ４１、アクチュエータ４２と、ＸＹ移動手段４３と、制御部４４とを備え、熱アシスト記録方式での情報記録（磁気記録）と情報再生とを磁気ディスク１０について実行することができるように構成されている。
【００１６】
磁気ディスク１０は、ディスク基板１１、記録層１２、および保護層１３を含む積層構造を有し、熱アシスト記録方式の磁気記録媒体として構成されたものである。ディスク基板１１は、主に、磁気ディスク１０の剛性を確保するための部位であり、例えば、アルミニウム合金基板、ガラス基板、または樹脂基板である。記録層１２は、垂直磁化膜または面内磁化膜よりなり、磁気ディスク１０において情報が記録される記録面を構成する。このような記録層１２は、例えば、Ｃｏ合金、Ｆｅ合金、または希土類遷移金属アモルファス合金よりなる。Ｃｏ合金としてはＣｏＣｒ合金が挙げられる。Ｆｅ合金としてはＦｅＰｔ合金が挙げられる。希土類遷移金属アモルファス合金としてはＴｂＦｅＣｏ合金が挙げられる。保護層１３は、記録層１２を外界から物理的および化学的に保護するためのものであり、例えば、ＳｉＮ、ＳｉＯ2、またはダイアモンドライクカーボンよりなる。
【００１７】
このような磁気ディスク１０は、スピンドルモータ４１に支持され、スピンドルモータ４１が回転駆動することによって回転動作する。スピンドルモータ４１の回転駆動は、制御部４４からの制御信号に基づいて制御される。
【００１８】
磁気ヘッド２０は、図１または図２に示すように、スライダボディ２１、記録素子２２、および再生素子２３を有し、磁気ディスク装置Ａによる情報記録および情報再生の実行時には、磁気ディスク１０の保護層１３に対向して配置される。
【００１９】
スライダボディ２１は、回転動作中の磁気ディスク１０において磁気ヘッド２０に対向する箇所の線速度が所定以上であるときに、磁気ディスク１０ないし保護層１３と磁気ヘッド２０との間に気体潤滑膜を生じさせるための所定の形状（図示略）を有する。記録素子２２は、記録層１２に対して所定の磁界を印加するためのものであり、磁界発生用の電流を流すためのコイルと、発生磁界を強い磁界に変換するための磁極とからなる。記録素子２２の書き込みコア幅は例えば０.２６μｍである。再生素子２３は、記録層１２の磁化状態に由来する磁気信号を検知して電気信号に変換するためのものであり、例えばＧＭＲ素子やＭＲ素子により構成されている。
【００２０】
このような磁気ヘッド２０は、板バネ状のサスペンションアーム４５を介してアクチュエータ４２に連結されている。アクチュエータ４２は、例えばボイスコイルモータにより構成されている。サスペンションアーム４５は、磁気ヘッド２０に対し、磁気ディスク１０に向けて付勢力を作用させるためのものである。
【００２１】
光学ヘッド３０は、光源３１、集光レンズ３２、およびアクチュエータ３３を有し、光学ヘッド３０の内部には、光源３１からのレーザ光や磁気ディスク１０からの反射光が通過可能な導光路が確保されている。光源３１は例えばレーザダイオードである。集光レンズ３２は、光源３１から発せられたレーザ光を集光して磁気ディスク１０に照射するためのものである。集光レンズ３２により集光されたレーザ光により記録層１２の表面にて生ずる照射スポットの直径は例えば１μｍである。アクチュエータ３３は、集光レンズ３２を通過することにより集光されるレーザ光について焦点調整すべく、例えば電磁的な駆動力により図中上下方向に集光レンズ３２を位置制御するためのものである。アクチュエータ３３の駆動は、制御部４４からの所定の制御信号に基づいて制御される。
【００２２】
このような光学ヘッド３０は、ＸＹ移動手段４３上に搭載されている。ＸＹ移動手段４３は、図３に示すように、磁気ディスク１０（図３では破線で表す）に対してＸ方向およびＹ方向に並進駆動可能に構成されており、光学ヘッド３０を磁気ディスク１０に沿ってＸ方向およびＹ方向に移動ないし変位させることによって当該光学ヘッド３０の位置を制御するためのものである。Ｘ方向は、磁気ディスク１０の回転中心と磁気ヘッド２０の記録素子２２の位置とを通る半径方向Ｄ（図２に示す）に平行な方向であり、Ｙ方向とはこのようなＸ方向に直交する方向である。ＸＹ移動手段４３による光学ヘッド３０の送りピッチは、ＸＹ両方向において、例えば０.１μｍである。また、ＸＹ移動手段４３の並進駆動は、制御部４４からの所定の制御信号に基づいて制御される。
【００２３】
図４は、本発明に係る位置合わせ方法を表すフローチャートである。本発明の位置合わせ方法は、軌跡形成工程Ｓ１と、Ｘ走査工程Ｓ２と、試験記録工程Ｓ３と、再生工程Ｓ４と、Ｙ変位工程Ｓ５と、試験記録工程Ｓ６と、再生工程Ｓ７とを含み、磁気ヘッド２０と光学ヘッド３０とを磁気ディスク１０を介して対向するように位置合わせするためのものである。また、本位置合わせ方法は、各々について予め設定されている初期位置または各々の任意の初期位置へと、アクチュエータ４２の駆動により磁気ヘッド２０を移動させ且つＸＹ移動手段４３の駆動により光学ヘッド３０を移動させることにより、磁気ヘッド２０および光学ヘッド３０の各々を、面内方向位置（磁気ディスク１０の面広がり方向における位置）について所定範囲内に接近させた後に、実行される。
【００２４】
本位置合わせ方法では、まず、軌跡形成工程Ｓ１において、例えば図５に示すように、磁気ディスク１０の記録層１２に対して磁気軌跡１４を形成する。具体的には、まず、スピンドルモータ４１の駆動により磁気ディスク１０を回転させ（回転方向を矢印Ｒで表す）、磁気ディスク１０に対して磁気ヘッド２０を所定位置にて浮上配置させる。図５においては、磁気ヘッド２０ないしその位置（磁界印加位置，磁気信号測定位置）について、斜線ハッチングを付して表す。以降の工程図においても同様である。磁気ディスク１０の回転速度は例えば５ｍ/ｓである。以降、本実施形態では、位置合わせ終了まで磁気ディスク１０を回転させておく。この状態において、磁気ヘッド２０ないしその記録素子２２により磁気ディスク１０ないしその記録層１２に対して所定強度および所定周波数の磁界を局所的に印加し続けることにより、記録層１２にトラック一周の磁気軌跡１４を形成する。磁気軌跡１４を形成した後、磁気ヘッド２０による磁界印加は停止される。
【００２５】
本工程において印加される磁界は、記録層１２の保磁力より小さく、例えば記録層１２の保磁力の７０〜９０％の大きさである。記録層１２の保磁力が６ｋＯｅの場合、印加磁界は例えば４.５ｋＯｅである。記録層１２の保磁力より小さな磁界は、情報記録のための記録磁界としては強度的に不充分であるが、記録層１２の保磁力に対して７０％程度以上の大きさの磁界であれば、再生素子２３により測定可能な磁化状態を有する磁気軌跡１４を形成することが可能である。本工程では、磁気軌跡１４は、記録周波数が例えば３５０ｋＦＣＩである磁気信号として形成される。
【００２６】
また、本工程実行時の磁気ヘッド２０の位置は、本発明におけるアライメント位置であり、本位置合わせ方法の過程にわたって実質的に不動の位置である。本発明によると、光学ヘッド３０は、アライメント位置にある磁気ヘッド２０に対して位置合わせされることとなる。また、アライメント位置にある磁気ヘッド２０による磁界印加対象箇所として、磁気ディスク１０の記録層１２においてトラックＴを想定すると、磁気軌跡１４はトラックＴに沿って形成されることとなる。
【００２７】
次に、Ｘ走査工程Ｓ２において、磁気ヘッド２０ないしその再生素子２３により磁気信号を測定しつつ、磁気ディスク１０に対して光学ヘッド３０によりレーザ光を照射することによって記録層１２を局所的に昇温し続けながら、ＸＹ移動手段４３の駆動により光学ヘッド３０を磁気ディスク１０に沿ってＸ方向に走査する。Ｘ方向における光学ヘッド３０の走査は、光学ヘッド３０の初期位置に応じて、例えば図６（ａ）や図６（ｂ）に示すように実行される。図６においては、光学ヘッド３０ないしその位置（光学ヘッド３０からのレーザ光に由来して磁気ディスク１０にて生ずる照射スポットの位置）について、斜線ハッチングを付して表す。以降の工程図においても同様である。
【００２８】
本工程におけるレーザ光の出力は例えば１０ｍＷである。また、本工程では、光学ヘッド３０の走査速度について、磁気ディスク１０の回転速度（または磁気軌跡１４の線速度）に対して充分に小さく設定される。磁気ディスク１０の回転速度が５ｍ/ｓの場合、光学ヘッド３０の走査速度は例えば１μｍ/ｓである。
【００２９】
本工程では、光学ヘッド３０の走査中に記録層１２の昇温箇所が磁気軌跡１４に至ると、磁気軌跡１４における残留磁化は熱揺らぎにより減少ないし消失し、磁気ヘッド２０により測定される磁気信号は減衰する（即ち、得られる再生信号の振幅は小さくなる）。したがって、磁気信号が減衰したときの光学ヘッド３０の位置を特定することができる。磁気信号の減衰を検知した時点で本工程を止めてもよいし、磁気信号の減衰を検知した後も走査を継続して所定の設定範囲にわたる走査が終了するまで本工程を行ってもよい。前者の場合、走査終了時の位置に光学ヘッド３０は停止することとなる。また、後者の場合、走査終了後、磁気信号の減衰を検知したときの光学ヘッド位置に光学ヘッド３０を移動させる。
【００３０】
次に、例えば図７（ａ）や図７（ｂ）に示すように、Ｘ走査工程Ｓ２において磁気ヘッド２０により測定される磁気信号が減衰したときの光学ヘッド位置に光学ヘッド３０を位置決めした状態で、試験記録工程Ｓ３（走査後試験記録工程）が実行される。具体的には、磁気ヘッド２０ないしその記録素子２２により記録層１２に対して局所的に磁界を印加し続けつつ、光学ヘッド３０により磁気ディスク１０に対してレーザ光を照射することによって記録層１２を局所的に昇温し続ける。磁気ヘッド２０による磁界印加期間と、光学ヘッド３０によるレーザ光照射期間については、開始のタイミングも終了のタイミングも一致させる。このようにして、トラック一周分の試験的磁気記録を実行する。本工程では、例えば、本来的には位置合わせ終了後に実行される熱アシスト記録方式での磁気記録の条件、或は、当該本来的な磁気記録条件とはレーザ出力の大きさや印加磁界の強度が異なる条件で、磁気ヘッド２０および光学ヘッド３０により磁気記録が試験的に実行される。例えば、記録層１２の保磁力が６ｋＯｅの場合、印加磁界は４.５ｋＯｅであり、レーザ光の出力は例えば１０ｍＷである。
【００３１】
次に、再生工程Ｓ４において、磁気ヘッド２０ないしその再生素子２３により磁気信号を測定する。
【００３２】
Ｘ走査工程Ｓ２において、既に位置合わせが達成されている場合には、本工程で得られる再生信号は、所定条件下で熱アシスト磁気記録がなされた場合の信号に相当し、その再生信号振幅は、走査工程Ｓ２において磁気軌跡１４に由来して測定される再生信号の振幅より大きい（第１の再生結果）。このような場合の再生信号を仮にオシロスコープによりモニタすると得られる再生信号波形の一例を図８（ａ）に示す。
【００３３】
これに対し、試験記録工程Ｓ３における磁気ヘッド２０と光学ヘッド３０との相対位置関係が例えば図７（ａ）に示すような場合、即ち、光学ヘッド３０が磁気ヘッド２０に対してディスク回転方向下流に位置する場合には、本工程で得られる再生信号は減衰し且つその減衰の程度は相対的に大きい（第２の再生結果）。このような場合の再生信号を仮にオシロスコープによりモニタすると得られる再生信号波形の一例を図８（ｂ）に示す。上述の試験記録工程Ｓ３では、トラック一周分にわたって磁気ヘッド２０の磁界印加により試験的な記録磁化が実行されるところ、光学ヘッド３０が磁気ヘッド２０に対してディスク回転方向下流に位置する場合には、その試験的記録磁化の大部分が減衰される。試験記録工程Ｓ３が終了する瞬間を想定すると、例えば図７（ａ）に示す磁気軌跡１５のみの磁化が、レーザ光照射（局所的昇温）により減衰していない。そのため、光学ヘッド３０が磁気ヘッド２０に対してディスク回転方向下流に位置する場合には、本再生工程Ｓ４で得られる再生信号は比較的大きく減衰しているのである。
【００３４】
また、試験記録工程Ｓ３における磁気ヘッド２０と光学ヘッド３０との相対位置関係が例えば図７（ｂ）に示すような場合、即ち、光学ヘッド３０が磁気ヘッド２０に対してディスク回転方向上流に位置する場合には、本工程で得られる再生信号は減衰し且つその減衰の程度は相対的に小さい（第３の再生結果）。このような場合の再生信号を仮にオシロスコープによりモニタすると得られる再生信号波形の一例を図８（ｃ）に示す。上述の試験記録工程Ｓ３では、トラック一周分にわたって磁気ヘッド２０の磁界印加により試験的な記録磁化が実行されるところ、光学ヘッド３０が磁気ヘッド２０に対してディスク回転方向上流に位置する場合には、その試験的記録磁化の大部分は減衰されない。試験記録工程Ｓ３が終了する瞬間を想定すると、例えば図７（ｂ）に示す磁気軌跡１６（上述の磁気軌跡１５より相当程度に長い）の磁化が、レーザ光照射（局所的昇温）により減衰していない。そのため、光学ヘッド３０が磁気ヘッド２０に対してディスク回転方向上流に位置する場合には、本再生工程Ｓ４で得られる再生信号はそれ程には減衰していないのである。
【００３５】
再生工程Ｓ４において第１の再生結果が得られた場合、磁気ヘッド２０と光学ヘッド３０とは、熱アシスト記録方式の磁気記録を実行可能に位置していると判断できるので、位置合わせを本工程で終了する。
【００３６】
再生工程Ｓ４において第２の再生結果または第３の再生結果が得られた場合、次に、Ｙ変位工程Ｓ５が実行される。本工程では、ＸＹ移動手段４３の駆動により光学ヘッド３０を磁気ディスク１０に沿ってＹ方向に変位させる。前工程において第２の再生結果が得られた場合、変位方向はＹ方向における正の方向（＋Ｙ方向）であり、第３の再生結果が得られた場合、変位方向はＹ方向における負の方向（−Ｙ方向）である。本工程での変位距離は例えば０.１μｍである。＋Ｙ方向および−Ｙ方向のいずれに変位させるかについては、再生工程Ｓ４における再生信号の減衰の程度に基づいて判断することができるように予め設定しておく。また、Ｘ走査工程Ｓ２において特定されて試験記録工程Ｓ３が実行されたときの光学ヘッド３０の位置と磁気ヘッド２０の位置（アライメント位置）との距離が、Ｙ方向において所定以下の近距離（例えば、磁気ディスク１０の回転中心からトラックＴまでの距離２５ｍｍの場合には０.１５ｍｍ以内）である場合、本工程では、光学ヘッド３０ないしそれが形成し得る照射スポットは、トラックＴに沿って変位すると近似することができる。当該近距離である場合には、Ｙ変位工程Ｓ５にて照射スポット中心の軌跡がなす直線（弦）と、この直線の近傍を延びるトラックＴがなす弧との距離が、照射スポットの半径より小さくなり、Ｙ変位工程Ｓ５において照射スポット内にトラックＴの一部が含まれるからである。一方、Ｘ走査工程Ｓ２において特定されて試験記録工程Ｓ３が実行されたときの光学ヘッド３０の位置と磁気ヘッド２０の位置（アライメント位置）との距離が、Ｙ方向において所定以上に離れている場合、本工程での変位により、光学ヘッド３０ないしそれが形成し得る照射スポットは、トラックＴから逸脱する。
【００３７】
次に、変位後の位置で、試験記録工程Ｓ６（変位後試験記録工程）が実行される。本工程では、磁気ヘッド２０および光学ヘッド３０により、例えば、本来的には位置合わせ終了後に実行される熱アシスト記録方式の磁気記録の条件、或は、当該本来的な磁気記録条件とはレーザ出力の大きさや印加磁界の強度が異なる条件で、磁気記録が試験的に実行される。具体的には、試験記録工程Ｓ３と同様にして、トラック一周分の試験的磁気記録を実行する。
【００３８】
次に、再生工程Ｓ７において、磁気ヘッド２０ないしその再生素子２３により磁気信号を測定する。
【００３９】
Ｙ変位工程Ｓ５において、位置合わせが達成されている場合には、本工程で得られる再生信号は、所定条件下での熱アシスト磁気記録がなされた場合の信号に相当する（第１の再生結果）。これに対し、前工程における磁気ヘッド２０と光学ヘッド３０との相対位置が例えば図７（ａ）に示すような場合には、本工程で得られる再生信号は減衰し且つその減衰の程度は相対的に大きい（第２の再生結果）。また、前工程における磁気ヘッド２０と光学ヘッド３０との相対位置が例えば図７（ｂ）に示すような場合には、本工程で得られる再生信号は減衰し且つその減衰の程度は相対的に小さい（第３の再生結果）。Ｘ走査工程Ｓ２において特定されて試験記録工程Ｓ３が実行されたときの光学ヘッド３０の位置と磁気ヘッド２０の位置（アライメント位置）との距離が、Ｙ方向において所定以下の近距離（例えば０.１５ｍｍ以内）であるために、Ｙ変位工程Ｓ５において、光学ヘッド３０ないしそれが形成し得る照射スポットがトラックＴに沿って変位すると近似することができる場合、本工程では、第１、第２、または第３の再生結果を得ることができる。
【００４０】
一方、Ｘ走査工程Ｓ２において特定されて試験記録工程Ｓ３が実行されたときの光学ヘッド３０の位置と磁気ヘッド２０の位置（アライメント位置）との距離が、Ｙ方向において所定以上に離れているために、Ｙ変位工程Ｓ５での変位により、光学ヘッド３０ないしそれが形成し得る照射スポットがトラックＴから逸脱する場合には、本工程で得られる再生信号は減衰しない（第４の再生結果）。第４の再生結果における再生信号振幅の大きさは、第１の再生結果の再生信号振幅の大きさと第３の再生結果の再生信号振幅の大きさとの間である。
【００４１】
再生工程Ｓ７において第１の再生結果が得られた場合、磁気ヘッド２０と光学ヘッド３０とは、熱アシスト記録方式の磁気記録を実行可能に位置していると判断できるので、位置合わせを本工程で終了する。
【００４２】
再生工程Ｓ７において第２の再生結果または第３の再生結果が得られた場合、再生工程Ｓ７において第１の再生結果が得られるまで、Ｙ変位工程Ｓ５、試験記録工程Ｓ６、および再生工程Ｓ７が繰り返される。
【００４３】
一方、再生工程Ｓ７において第４の再生結果が得られた場合、再び、Ｘ走査工程Ｓ２以降が繰り返される。そして、再生工程Ｓ４または再生工程Ｓ７において第１の再生結果が得られるまで、Ｘ走査工程Ｓ２〜再生工程Ｓ４、Ｙ変位工程Ｓ５〜再生工程Ｓ７、またはＸ走査工程Ｓ２〜再生工程Ｓ７が繰り返される。
【００４４】
以上のようにして、磁気ヘッド２０と光学ヘッド３０とを磁気ディスク１０を介して対向するように位置合わせすることができる。
【００４５】
上述の試験記録工程Ｓ３，Ｓ６における記録条件として、本来的には位置合わせ終了後に実行される熱アシスト記録方式の磁気記録の条件と同一の条件を採用しない場合には、本来的な熱アシスト記録方式の磁気記録の条件での試験記録工程と、その後の再生工程（具体的方法は再生工程Ｓ４，Ｓ７と同様）と、その後の変位工程（ＸＹ移動手段４３により光学ヘッド３０をＸ方向またはＹ方向に変位させる工程）とを、再生工程で得られる再生信号の振幅が最大となるまで繰り返し行ってもよい。上述の試験記録工程Ｓ３，Ｓ６における記録条件として、本来的には位置合わせ終了後に実行される熱アシスト記録方式の磁気記録の条件と同一の条件を採用しない場合には、このような位置合わせ過程を更に継続することにより、より高精度な位置合わせを達成することができる。
【００４６】
上述の位置合わせ方法には、軌跡形成工程Ｓ１およびＸ走査工程Ｓ２を経て行われるＸ方向（＋Ｘ方向，−Ｘ方向）の位置合わせ過程と、試験記録工程Ｓ３、再生工程Ｓ４，Ｓ７、Ｙ変位工程Ｓ５、および試験記録工程Ｓ６を経て行われるＹ方向（＋Ｙ方向，−Ｙ方向）の位置合わせ過程とが、含まれる。Ｘ方向の位置合わせ過程は、トラックＴに沿った線的な磁気軌跡１４に対して光学ヘッド３０の位置を合わせることにより、磁気ヘッド位置（アライメント位置）と光学ヘッド位置とを効率よく近付けるためのものである。Ｙ方向の位置合わせ過程は、Ｘ方向位置合わせ過程の後に更に磁気ヘッド位置と光学ヘッド位置とを近付けるためのものであり、Ｙ方向において光学ヘッド３０が磁気ヘッド位置に対して正負いずれの側に位置するのかを検知可能な手法で実行される。このような、役割の異なる２種類の位置合わせ過程が組み合わされてなる本位置合わせ方法によると、磁気ヘッド２０と光学ヘッド３０とを磁気ディスク１０を介して対向するように効率よく位置合わせすることができるのである。また、本発明は、再生信号振幅の変化を利用して位置合わせを行うために、磁気ヘッド２０と光学ヘッド３０とを、熱アシスト記録方式の磁気記録にとって最適な位置に正確に位置合わせするのに適しているのである。
【図面の簡単な説明】
【００４７】
【図１】本発明に係る位置合わせ方法を実施するための磁気ディスク装置の概略構成を表す。
【図２】磁気ディスクおよび磁気ヘッドの位置関係を表す平面図である。
【図３】磁気ディスクおよび光学ヘッドの位置関係を表す平面図である。
【図４】本発明に係る位置合わせ方法を表すフローチャートである。
【図５】軌跡形成工程を表す。
【図６】Ｘ走査工程を表す。
【図７】試験記録工程を表す。
【図８】再生工程において得られる再生信号の波形例を表す。
【図９】Ｙ変位工程を表す。
【符号の説明】
【００４８】
Ａ      磁気ディスク装置
１０      磁気ディスク
１２      記録層
１４，１５，１６      磁気軌跡
２０      磁気ヘッド
２２      記録素子
２３      再生素子
３０      光学ヘッド
３１      光源
３２      集光レンズ
４２      アクチュエータ
４３      ＸＹ移動手段
４４      制御部
【図１】
2006053976.tif 000003
【図２】
2006053976.tif 000004
【図３】
2006053976.tif 000005
【図４】
2006053976.tif 000006
【図５】
2006053976.tif 000007
【図６】
2006053976.tif 000008
【図７】
2006053976.tif 000009
【図８】
2006053976.tif 000010
【図９】
2006053976.tif 000011